(57)【特許請求の範囲】
【請求項１】
供給される炭化水素系燃料と空気を改質し、水素が含まれた高温の改質ガスを出口に吐出するように中心側に形成される改質部と、
前記改質部から吐出される前記改質ガスの一側に燃料と空気を噴射し、前記出口から距離だけ離隔した位置に火炎を形成するように少なくとも前記出口の外側に備えられる供給部とを含むことを特徴とする燃焼装置。
【請求項２】
前記改質部に供給される燃料と空気の混合物において、炭化水素系燃料の場合、当量比は部分酸化の理論当量比以上であり、燃焼の理論当量比未満であることを特徴とする請求項１に記載の燃焼装置。
【請求項３】
前記改質部は、
電気的に接地される第１ハウジングと、
前記第１ハウジングの内側中央に離隔装着され、電圧が印加される電極とを含むことを特徴とする請求項１に記載の燃焼装置。
【請求項４】
前記第１ハウジングは、
前記電極との間に放電間隙を形成し、燃料と空気を部分酸化条件で反応させる放電部と、
前記放電部で反応して吐出される気体を安定させるように前記放電部で拡張形成される拡張部とを含むことを特徴とする請求項３に記載の燃焼装置。
【請求項５】
前記供給部は、
前記改質部から吐出される前記改質ガスの外側に燃料と空気を噴射するように形成されることを特徴とする請求項３または４に記載の燃焼装置。
【請求項６】
前記供給部は、
前記第１ハウジングの外周に離隔配置される第２ハウジングと、
前記第２ハウジングの外周に離隔配置される第３ハウジングとを含み、
前記第１ハウジングと前記第２ハウジングとの間に形成される燃料通路と、
前記第２ハウジングと前記第３ハウジングとの間に形成される空気通路とをさらに含むことを特徴とする請求項５に記載の燃焼装置。
【請求項７】
前記空気通路は、
前記第２ハウジングと前記第１ハウジングとを連結する通路連結部材により、前記燃料通路にわたって前記放電部に連結されることを特徴とする請求項６に記載の燃焼装置。
【請求項８】
前記第２ハウジングは、
前記燃料通路の一側に側壁を形成し、
前記第１ハウジングは、
前記側壁にねじ結合または溶接で連結されることを特徴とする請求項６に記載の燃焼装置。
【請求項９】
前記第１ハウジングは、
前記第２ハウジングの側壁に向かって突出する結合部をさらに形成し、
前記燃料通路は、
前記第１ハウジングの一側中央に形成される流入側と、
前記第１ハウジングの外周側に連結する供給側とを含み、
前記結合部は、
前記流入側と前記供給側とを連結する貫通口を形成することを特徴とする請求項８に記載の燃焼装置。
【請求項１０】
前記第２ハウジングの側壁の反対側において、前記第１ハウジングの端部は、
前記第２ハウジングの長手方向で、前記第２ハウジングの端部と間隔を形成するように前記第２ハウジングの直径方向で外郭に突出形成されるフランジをさらに含み、
前記フランジと前記第２ハウジングの端部との間に設定される前記間隔は、
前記燃料通路の供給側を前記第２ハウジングの直径方向の外郭に開放することを特徴とする請求項９に記載の燃焼装置。
【請求項１１】
前記第２ハウジングの端部と前記第３ハウジングの端部は、前記直径方向で同一線上に配置されることを特徴とする請求項１０に記載の燃焼装置。
【請求項１２】
前記第１ハウジングは、
前記電極に向かって空気を噴射する空気噴射口を形成する内側部材と、
前記内側部材の外周に結合され、前記空気噴射口に噴射される空気を受けて収容するチャンバを形成する外側部材とを含むことを特徴とする請求項３に記載の燃焼装置。
【請求項１３】
前記空気噴射口は、
前記内側部材を円周方向に離隔して複数配置され、
前記内側部材の直径方向に対して傾斜した角度を有することを特徴とする請求項１２に記載の燃焼装置。
【請求項１４】
前記供給部は、
前記改質部から吐出される前記改質ガスの外側で前記改質ガスの吐出方向と並ぶ方向に燃料と空気を噴射するように形成されることを特徴とする請求項３または４に記載の燃焼装置。
【請求項１５】
前記供給部は、
前記第１ハウジングの外周に離隔配置される第２ハウジングと、
前記第２ハウジングの外周に離隔配置される第３ハウジングとを含み、
前記第１ハウジングと前記第２ハウジングとの間に形成される燃料通路と、
前記第２ハウジングと前記第３ハウジングとの間に形成される空気通路とをさらに含み、
前記第１ハウジングの端部は、
前記第２ハウジングの端部の内側に配置され、前記第１ハウジングの直径方向で内側に突出形成されるフランジを形成することを特徴とする請求項１２に記載の燃焼装置。
【請求項１６】
前記第１ハウジングの端部と前記第２ハウジングの端部は互いに並んで形成され、
前記第１ハウジングの端部と前記第２ハウジングの端部との間に第１スワラーが設けられ、
前記第２ハウジングの端部と前記第３ハウジングの端部との間に第２スワラーが設けられることを特徴とする請求項１５に記載の燃焼装置。
【発明の詳細な説明】
【技術分野】
【０００１】
本発明は、炭化水素系燃料を改質して生成された高温の水素を含む気体を噴射し、出口から離れた位置に火炎を形成することにより、ＮＯｘの発生量を低減する燃焼装置に関するものである。
【背景技術】
【０００２】
一般的な燃焼装置は、供給される燃料と空気を内部または外部で出会うようにして拡散火炎（ｄｉｆｆｕｓｉｏｎ  ｆｌａｍｅ）を形成するようになっている。この時、燃料と空気の混合程度および混合速度に応じてＮＯｘの発生量が異なり得る。
ＮＯｘの発生量を低減するために、空気または燃料を多段噴射したり、複数段階の濃厚燃焼および希薄燃焼を行う燃焼装置が開発されている。しかし、多段燃焼は、火炎の長さを長くし、該燃焼装置の構造を複雑化する。
これを解決するために、燃料と空気を急速に混合することにより、ＮＯｘの発生量を低減する燃焼装置が開発されている。この場合、燃焼装置は、火炎の点火のための点火器を必要とし、火炎を燃焼装置に定着および安定させるためのパイロット火炎（ｐｉｌｏｔ  ｆｌａｍｅ）を燃焼装置の出口に形成しなければならない。つまり、パイロット火炎がなければ、火炎が燃焼装置の出口から離れて消えてしまう（ｂｌｏｗ  ｏｆｆ）。
【発明の概要】
【発明が解決しようとする課題】
【０００３】
本発明の目的は、火炎を出口から離れた位置に形成することにより、燃料と空気の混合時間をさらに確保し、燃料と空気の混合を均一にすることにより、ＮＯｘの発生量を低減する燃焼装置を提供することである。
また、本発明の目的は、燃料を改質して水素が含まれた改質ガスを出口の中心から供給し、ブローオフされない状態で火炎を出口から離れた位置に形成する燃焼装置を提供することである。
【課題を解決するための手段】
【０００４】
本発明の一実施形態にかかる燃焼装置は、供給される炭化水素系燃料と空気を改質し、水素が含まれた高温の改質ガスを出口に吐出するように中心側に形成される改質部と、前記改質部から吐出される前記改質ガスの一側に燃料と空気を噴射し、前記出口から距離だけ離隔した位置に火炎を形成するように少なくとも前記出口の外側に備えられる供給部とを含む。
【０００５】
前記改質部に供給される燃料と空気の混合物において、炭化水素系燃料の場合、当量比は、部分酸化の理論当量比以上であり、燃焼の理論当量比未満であり得る。
【０００６】
前記改質部は、電気的に接地される第１ハウジングと、前記第１ハウジングの内側中央に離隔装着され、電圧が印加される電極とを含むことができる。
【０００７】
前記第１ハウジングは、前記電極との間に放電間隙を形成し、燃料と空気を部分酸化条件で反応させる放電部と、前記放電部で反応して吐出される気体を安定させるように前記放電部で拡張形成される拡張部とを含むことができる。
【０００８】
前記供給部は、前記改質部から吐出される前記改質ガスの外側に燃料と空気を噴射できるように形成される。
【０００９】
前記供給部は、前記第１ハウジングの外周に離隔配置される第２ハウジングと、前記第２ハウジングの外周に離隔配置される第３ハウジングとを含み、前記第１ハウジングと前記第２ハウジングとの間に形成される燃料通路と、前記第２ハウジングと前記第３ハウジングとの間に形成される空気通路とをさらに含むことができる。
【００１０】
前記空気通路は、前記第２ハウジングと前記第１ハウジングとを連結する通路連結部材により、前記燃料通路にわたって前記放電部に連結できる。
【００１１】
前記第２ハウジングは、前記燃料通路の一側に側壁を形成し、前記第１ハウジングは、前記側壁にねじ結合または溶接などの方法で連結できる。
【００１２】
前記第１ハウジングは、前記第２ハウジングの側壁に向かって突出する結合部をさらに形成し、前記燃料通路は、前記第１ハウジングの一側中央に形成される流入側と、前記第１ハウジングの外周側に連結する供給側とを含み、前記結合部は、前記流入側と前記供給側とを連結する貫通口を形成することができる。
【００１３】
前記第２ハウジングの側壁の反対側において、前記第１ハウジングの端部は、前記第２ハウジングの長手方向で、前記第２ハウジングの端部と間隔を形成するように前記第２ハウジングの直径方向で外郭に突出形成されるフランジをさらに含み、前記フランジと前記第２ハウジングの端部との間に設定される前記間隔は、前記燃料通路の供給側を前記第２ハウジングの直径方向の外郭に開放できる。
【００１４】
前記第２ハウジングの端部と前記第３ハウジングの端部は、前記直径方向で同一線上に配置できる。
【００１５】
前記第１ハウジングは、前記電極に向かって空気を噴射する空気噴射口を形成する内側部材と、前記内側部材の外周に結合され、前記空気噴射口に噴射される空気を受けて収容するチャンバを形成する外側部材とを含むことができる。
【００１６】
前記空気噴射口は、前記内側部材で円周方向に離隔して複数配置され、前記内側部材の直径方向に対して傾斜した角度を有することができる。
【００１７】
前記供給部は、前記改質部から吐出される前記改質ガスの外側で前記改質ガスの吐出方向と並ぶ方向に燃料と空気を噴射するように形成できる。
【００１８】
前記供給部は、前記第１ハウジングの外周に離隔配置される第２ハウジングと、前記第２ハウジングの外周に離隔配置される第３ハウジングとを含み、前記第１ハウジングと前記第２ハウジングとの間に形成される燃料通路と、前記第２ハウジングと前記第３ハウジングとの間に形成される空気通路とをさらに含み、前記第１ハウジングの端部は、前記第２ハウジングの端部の内側に配置され、前記第１ハウジングの直径方向で内側に突出形成されるフランジを形成することができる。
【００１９】
前記第１ハウジングの端部と前記第２ハウジングの端部は互いに並んで形成され、前記第１ハウジングの端部と前記第２ハウジングの端部との間に第１スワラーが設けられ、前記第２ハウジングの端部と前記第３ハウジングの端部との間に第２スワラーが設けられ得る。
【発明の効果】
【００２０】
このように、本発明の一実施形態は、改質部で燃料を改質して水素を含む改質ガスを吐出し、供給部に出口の外側に燃料と空気を供給することにより、出口から設定された距離だけ離隔した位置に火炎を安定的に形成することができる。
【００２１】
したがって、燃焼装置において、出口と火炎の離隔距離に相応するだけ、供給部から供給する燃料と空気の混合時間をさらに確保することができる。混合時間の延長により、燃料と空気の混合はより均一になり、これにより、ＮＯｘの発生量が低減できる。
【図面の簡単な説明】
【００２２】
【図１】本発明の第１実施形態にかかる燃焼装置の部分断面斜視図である。
【図２】図１に示された燃焼装置の断面図である。
【図３】図２のＩＩＩ−ＩＩＩ線に沿った断面図である。
【図４】図１の燃焼装置で燃料を燃焼する時の火炎の状態を示す写真である。
【図５】従来技術にかかる燃焼装置で燃料を燃焼する時の火炎の状態を示す写真である。
【図６】本発明の第２実施形態にかかる燃焼装置の断面図である。
【発明を実施するための形態】
【００２３】
以下、添付した図面を参照して、本発明の実施形態について、本発明の属する技術分野における通常の知識を有する者が容易に実施できるように詳細に説明する。しかし、本発明は、種々の異なる形態で実現可能であり、ここで説明する実施形態に限定されない。図面において、本発明を明確に説明するために説明上不必要な部分は省略し、明細書全体にわたり、同一または類似の構成要素については同一の参照符号を付した。
【００２４】
図１は、本発明の第１実施形態にかかる燃焼装置の部分断面斜視図であり、図２は、図１に示された燃焼装置の断面図であり、図３は、図２のＩＩＩ−ＩＩＩ線に沿った断面図である。
【００２５】
図１ないし図３を参照すれば、第１実施形態の燃焼装置１は、炭化水素系燃料を水素が含まれた高温の改質ガスに改質する改質部１００と、燃焼装置１の出口１０１に燃料と空気を噴射する供給部２００とを含む。
【００２６】
改質ガスに含まれている水素は、燃焼速度および拡散速度で速い性質を有する。したがって、改質部１００から供給される高温の改質ガスおよび水素は、燃焼装置１の出口１０１から離隔した位置に火炎Ｆが形成されるようにし、また、この火炎Ｆのブローオフ（ｂｌｏｗ  ｏｆｆ）を防止する。つまり、改質ガスおよび水素は、燃焼装置１の出口１０１から離隔した位置で火炎Ｆを安定化させることができる。
【００２７】
このために、改質部１００は、燃焼装置１の中心側に備えられ、供給される燃料を部分酸化条件で反応させ、高温の水素が含まれたガスに改質し、この水素および改質ガスを出口１０１に吐出するように構成される。
【００２８】
改質部１００から吐出される改質ガスは、出口１０１から前方（火炎Ｆ側）に噴射されることにより、供給部２００から供給される燃料と空気の燃焼による火炎Ｆを押し、燃焼装置１の出口１０１から設定された距離Ｌだけ離隔した位置で安定的に維持させる。
【００２９】
本実施形態において、改質部１００は、燃焼装置１に一体に備えられるため、供給部２００から出口１０１に供給される空気および燃料に向かって水素を安定的に供給できるようにする。したがって、改質部１００は、簡単な構成で水素を供給できるようにし、つまり、水素を供給するための別の装置を必要としないようにする。
【００３０】
供給部２００は、少なくとも出口１０１の外側に備えられ、吐出される改質ガスの外郭に燃料と空気を噴射して火炎Ｆを形成するように構成される。本実施形態の供給部２００は、改質部１００を収容する構造に形成される。供給部２００から供給される燃料および空気は、改質部１００から供給される改質ガスによって出口１０１から設定された距離Ｌだけ押されるようになる。
【００３１】
しかし、改質部１００から供給される高温の改質ガスおよび水素の速い燃焼および拡散速度により、供給部２００から供給される燃料および空気は、出口１０１から距離Ｌだけ離隔した位置でブローオフされることなく燃焼しながら、火炎Ｆを安定的に維持する。
【００３２】
出口１０１と火炎Ｆとの間に設定される離隔距離Ｌは、供給部２００から供給される燃料と空気の混合時間をさらに長く確保する。したがって、出口１０１を離れた状態で、燃料と空気は離隔距離Ｌを進行しながら、より均一に混合できる。
【００３３】
このように、本実施形態の燃焼装置１は、燃料の燃焼時、改質部１００で生成される高温の改質ガスおよび水素の速い燃焼および拡散性能を利用することにより、ＮＯｘの発生量を大きく低減することができる。
【００３４】
改質部１００で燃料と空気の混合比が過度に過濃であれば、部分酸化反応が起こらず水素が発生しない。逆に、改質部１００で燃料と空気の混合比が過度に燃焼比に近ければ、火炎が改質部１００内にのみ維持され、水素が発生しない。
【００３５】
このように、改質部１００で水素が発生しなければ、供給部２００に供給される燃料および空気の燃焼で形成される火炎は、燃焼装置１の出口１０１で消えてしまう。したがって、燃料と空気の混合物は適切な当量比を持たなければならない。
【００３６】
例えば、炭化水素系燃料において、部分酸化の理論当量比が０．５であり、燃焼の理論当量比が２．０であるので、改質部１００において、燃料と空気の混合物で主成分がメタンの液化天然ガス（ＬＮＧ）の場合、Ｏ２／Ｃの比は０．７〜１．９の間の範囲である。
【００３７】
燃焼装置１についてより具体的に説明すれば、改質部１００は、空気を供給し電気的に接地される第１ハウジング１０と、第１ハウジング１０の内側中央に離隔装着され、燃料を供給し電圧ＨＶが印加される電極Ｅとを含む。
【００３８】
電極Ｅに電圧ＨＶを印加すると、電極Ｅと第１ハウジング１０との間で混合された燃料と空気にプラズマ放電が発生する。この時、燃料は部分酸化され、水素を含む高温の改質ガス状態をなす。
【００３９】
第１ハウジング１０は、燃料と空気が流入して改質された改質ガスの吐出方向に沿って設定される放電部１１１および拡張部１１２を含む。放電部１１１は、第１ハウジング１０と電極Ｅとの間に放電間隙Ｇを形成し、放電間隙Ｇでプラズマ放電を起こし、供給される燃料と空気を部分酸化条件で反応させて改質する。
【００４０】
拡張部１１２は、放電部１１１の一側で放電部１１１の直径より大きく拡張形成され、放電部１１１で部分酸化条件で反応して吐出される気体を安定させて吐出する。つまり、放電部１１１で部分酸化条件で反応した改質ガスは、拡張部１１２の広い空間内で再循環しながら安定化する。
【００４１】
供給部２００は、第１ハウジング１０の外周に離隔配置される第２ハウジング２０と、第２ハウジング２０の外周に離隔配置される第３ハウジング３０とを含む。この時、第１ハウジング１０は第２ハウジング２０に収容され、第２ハウジング２０は第３ハウジング３０に段階的に収容される。例えば、第１、第２、第３ハウジング１０、２０、３０は、同心円構造を形成することができる。
【００４２】
第１ハウジング１０と第２ハウジング２０は、離隔する互いの間に燃料通路Ｐ１を形成し、第２ハウジング２０と第３ハウジング３０は、離隔する互いの間に空気通路Ｐ２を形成する。燃料通路Ｐ１および空気通路Ｐ２は、一側に供給される燃料と空気を改質部１００および供給部２００に供給する。
【００４３】
例えば、空気通路Ｐ２は、第２ハウジング２０を貫通して第１ハウジング１０に連結される通路連結部材２２により、燃料通路Ｐ１にわたって改質部１００の放電部１１１に連結される。空気通路Ｐ２は、空気を放電部１１１に供給する。また、空気通路Ｐ２は、供給部２００の第２、第３ハウジング２０、３０の端部Ｅ２、Ｅ３の間に空気を供給する。
【００４４】
例えば、第２ハウジング２０は、燃料通路Ｐ１の一側に側壁２１を形成し、第１ハウジング１０は、第２ハウジング２０の側壁２１にねじ結合または溶接などの多様な方法で連結できる。ねじ結合のために、第１ハウジング１０は、第２ハウジング２０の側壁２１に向かって突出する結合部１１をさらに形成する。つまり、結合部１１の雄ねじは側壁２１の雌ねじにねじ結合する。
【００４５】
この時、第１、第２ハウジング１０、２０の間に設定される燃料通路Ｐ１は、第１ハウジング１０の一側中央に形成される流入側Ｐ１１と、第１ハウジング１０の外周側に連結する供給側Ｐ１２とを含む。
【００４６】
第１ハウジング１０の結合部１１は、燃料通路Ｐ１の流入側Ｐ１１と供給側Ｐ１２とを連結する貫通口１２を形成する。流入側Ｐ１１に流入する空気は、放電部１１１に供給されると同時に、結合部１１の貫通口１２を介して供給側Ｐ１２に供給される。
【００４７】
第２ハウジング２０の側壁２１の反対側において、第１ハウジング１０は、第２ハウジング２０の長手方向（図２中の左右方向）の一側に設定される端部Ｅ１にフランジ１３を形成する。
【００４８】
フランジ１３は、第２ハウジング２０の直径方向で外郭に突出形成され、第２ハウジング２０の端部Ｅ２との間に間隔Ｃを形成する。間隔Ｃは、燃料通路Ｐ１の供給側Ｐ１２を第２ハウジング２０の直径方向の外郭に向かって開放するため、供給される燃料を第２ハウジング２０の外郭方向に供給できるようにする。
【００４９】
この時、第２ハウジング２０の端部Ｅ２と第３ハウジング３０の端部Ｅ３は、直径方向で同一線上に配置され、空気通路Ｐ２に供給される空気を両端部Ｅ２、Ｅ３の間に供給される燃料と混合できるようにする。
【００５０】
つまり、燃料通路Ｐ１に供給される燃料は、間隔Ｃを介して空気通路Ｐ２の端に供給され、空気通路Ｐ２に供給される空気と混合され、燃焼装置１から出口１０１の前方に吐出されて火炎Ｆを形成する。
【００５１】
第２ハウジング２０の側壁２１に対する第１ハウジング１０の結合部１１の締結範囲に応じて間隔Ｃの大きさを調整することができる。間隔Ｃの大きさに応じて、空気通路Ｐ２の供給される空気の供給量に対する、燃料通路Ｐ１に供給される燃料の供給量を制御し、空気と燃料の混合比を設定することもできる。
【００５２】
また、第１ハウジング１０は、互いに結合され、長手方向に部分的に重なる内側部材１４と外側部材１５を含む。内側部材１４は、放電部１１１の電極Ｅに向かって空気を噴射する空気噴射口１６を形成する。
【００５３】
空気噴射口１６は、内側部材１４で円周方向に離隔して複数配置され、内側部材１４の直径方向に対して傾斜した角度θを有する（図３参照）。したがって、空気噴射口１６に供給される空気は、電極Ｅと第１ハウジング１０との間および間隙Ｇで円周方向に回転しながら供給される。
【００５４】
外側部材１５は、内側部材１４の外周に結合され、空気噴射口１６に噴射される空気を受けて収容するチャンバ１７を形成する。したがって、チャンバ１７は、供給される空気の圧力を一定に維持し、複数備えられる空気噴射口１６に噴射される空気の量を均一にする。
【００５５】
一方、内側部材１４と共に放電部１１１を形成する電極Ｅは、燃料を噴射する燃料噴射口２６を形成する。燃料噴射口２６は、燃料通路Ｐ１の流入側Ｐ１１に連結され、供給される燃料を間隙Ｇの周囲から内側部材１４の内壁に噴射する。
【００５６】
放電部１１１の間隙Ｇに噴射された燃料は、空気噴射口１６に噴射される回転する空気と混合され、電極Ｅと内側部材１４との間に設定される電圧ＨＶによって回転アークを起こしながら、部分酸化条件で反応する。つまり、燃料は、水素を含む高温の気体に改質される。
【００５７】
放電部１１１で改質された水素および改質ガスは、拡張部１１２内で再循環しながら安定化され、出口１０１に吐出される。吐出される水素および改質ガスは、出口１０１の前方から設定された範囲の距離Ｌ内で押す力として作用し、供給部２００に供給される燃料および空気が距離Ｌの範囲外に押し出される。
【００５８】
したがって、供給部２００に供給される燃料および空気は、水素および改質ガスの領域の外部を通して距離Ｌの範囲外に至らせる。これと同時に、改質ガスは高温状態を維持し、水素は速い燃焼および拡散速度を有する。したがって、供給部２００に供給される燃料および空気は、距離Ｌの範囲外で希薄燃焼を実現しながら、火炎Ｆを安定的に維持する。
【００５９】
供給部２００に供給される燃料および空気は、距離Ｌだけ進行しながら、追加の混合時間を有し、より均一な状態に混合されて希薄燃焼を実現する。したがって、燃料の燃焼時、ＮＯｘの発生量が低減できる。
【００６０】
図４は、図１の燃焼装置１で燃料を燃焼する時の火炎の状態を示す写真であり、図５は、従来技術にかかる燃焼装置２で燃料を燃焼する時の火炎の状態を示す写真である。
【００６１】
図４および図５を参照すれば、従来の燃焼装置２は、出口に近接して火炎Ｆ２を形成する。これに対し、本発明の燃焼装置１は、出口１０１から距離Ｌだけ離隔した位置に火炎Ｆを安定的に形成する。出口１０１の中央部で火炎Ｆが形成されていないことを確認することができる。
【００６２】
以下、本発明の第２実施形態について説明する。第１実施形態と比較して、同一の構成に関する説明を省略し、互いに異なる構成を説明する。
【００６３】
図６は、本発明の第２実施形態にかかる燃焼装置の断面図である。図６を参照すれば、第２実施形態の燃焼装置３において、供給部３００は、改質部１００から吐出される水素が含まれた改質ガスの外側で改質ガスの吐出方向と並ぶ方向に燃料と空気を噴射するように形成される。
【００６４】
例えば、第１ハウジング１０の端部Ｅ２１は、第２ハウジング２０の端部Ｅ２２の内側に配置され、第１ハウジング１０の直径方向で内側に突出形成されるフランジ２３を備える。
【００６５】
フランジ２３は、放電部１１１で出口１０２を狭く形成することにより、出口１０２を介して噴出される水素が含まれた改質ガスの速度を低下させたり調整することができる。
【００６６】
第３ハウジング３０の端部Ｅ２３は、第２ハウジング２０の端部Ｅ２２と共に、出口１０２に並んで配置される。燃料通路Ｐ１を形成する第１、第２ハウジング１０、２０の端部Ｅ２１、Ｅ２２の間に第１スワラーＳ１が備えられ、排出される燃料を旋回させる。空気通路Ｐ２を形成する第２、第３ハウジング２０、３０の端部Ｅ２２、Ｅ２３の間に第２スワラーＳ２が備えられ、排出される空気を旋回させる。
【００６７】
したがって、第１、第２ハウジング１０、２０の端部Ｅ２１、Ｅ２２の間に排出される燃料と、第２、第３ハウジング２０、３０の端部Ｅ２２、Ｅ２３の間に排出される空気は、第１、第２スワラーＳ１、Ｓ２によって旋回しながら混合され、改質ガスの吐出方向に並ぶ方向に旋回しながら吐出できる。
【００６８】
第１、第２スワラーＳ１、Ｓ２によって混合された燃料と空気は、改質ガスの吐出速度に応じて出口１０２から離隔距離Ｌだけ離れ、消えることなく火炎Ｆを形成することができる。
【００６９】
以上、本発明の好ましい実施形態について説明したが、本発明は、これに限定されるものではなく、特許請求の範囲と発明の詳細な説明および添付した図面の範囲内で多様に変形して実施することが可能であり、これも本発明の範囲に属することは当然である。
【符号の説明】
【００７０】
１０、２０、３０：第１、第２、第３ハウジング
１１：結合部
１２：貫通口
１３、２３：フランジ
１４：内側部材
１５：外側部材
１６：空気噴射口
１７：チャンバ
２１：側壁
１００：改質部
１０１、１０２：出口
１１１：放電部
１１２：拡張部
２００：供給部
３００：供給部
Ｃ：間隔
Ｅ１、Ｅ２、Ｅ３、Ｅ２１、Ｅ２２、Ｅ２３：端部
Ｆ：火炎
Ｌ：距離
Ｐ１：燃料通路
Ｐ１１：流入側
Ｐ１２：供給側
Ｐ２：空気通路
１、２、３：燃焼装置
Ｓ１：第１スワラー
Ｓ２：第２スワラー
【図１】
0005435381.tif 000002
【図２】
0005435381.tif 000003
【図３】
0005435381.tif 000004
【図６】
0005435381.tif 000005
【図４】
0005435381.tif 000006
【図５】
0005435381.tif 000007